(57)【要約】 【課題】  受け金具がトロヨケ内にドアの開閉方向へ調整可能なラッチ受けケースを備えている場合であっても、駆動カムを工具で調整しなくても良い場合が多く成る（無調整で済む場合が多い）こと。【解決手段】  戸枠の縦框の窪み部に対して取り付けられるドアラッチ用受け金具に於いて、受け金具は、縦框に固着具を介して固定され、かつ、方形窓孔を有するストライクと、このストライクにカバーされた状態で縦框１の窪み部２に内装されるケース状トロヨケと、このトロヨケに内装され、かつ、ドアの開閉方向へ調整可能なラッチ受けケースから成り、前記ドアラッチの垂直係合面が当接する前記ラッチ受けケースのラッチ当たり部を、ドアの開方向に向かって段差状に形成したことを特徴とするドアラッチ用受け金具。【選択図】  図１０
2005344342.tif 000002
【特許請求の範囲】
【請求項１】
戸枠の縦框の窪み部に対して取り付けられるドアラッチ用受け金具に於いて、ドアラッチの垂直係合面が当接する受け金具のラッチ当たり部を、ドアの開方向に向かって段差状に形成したことを特徴とするドアラッチ用受け金具。
【請求項２】
請求項１に於いて、受け金具は、縦框に固着具を介して固定され、かつ、窪み部に連通する方形窓孔を有するストライクＸであることを特徴とするドアラッチ用受け金具。
【請求項３】
請求項１に於いて、ストライクには磁性体が固定されていることを特徴とするドアラッチ用受け金具。
【請求項４】
戸枠の縦框の窪み部に対して取り付けられるドアラッチ用受け金具に於いて、受け金具は、縦框に固着具を介して固定され、かつ、方形窓孔を有するストライクと、このストライクにカバーされた状態で縦框１の窪み部に内装されるケース状トロヨケとから成り、前記ドアラッチの垂直係合面が当接する前記トロヨケのラッチ当たり部を、ドアの開方向に向かって段差状に形成したことを特徴とするドアラッチ用受け金具。
【請求項５】
戸枠の縦框の窪み部に対して取り付けられるドアラッチ用受け金具に於いて、受け金具は、縦框に固着具を介して固定され、かつ、方形窓孔を有するストライクと、このストライクにカバーされた状態で縦框の窪み部に内装されるケース状トロヨケと、このトロヨケに固定的に内装されるラッチ受けケースから成り、前記ドアラッチの垂直係合面が当接する前記ラッチ受けケースのラッチ当たり部を、ドアの開方向に向かって段差状に形成したことを特徴とするドアラッチ用受け金具。
【請求項６】
戸枠の縦框の窪み部に対して取り付けられるドアラッチ用受け金具に於いて、受け金具は、縦框に固着具を介して固定され、かつ、方形窓孔を有するストライクと、このストライクにカバーされた状態で縦框の窪み部に内装されるケース状トロヨケと、このトロヨケに内装され、かつ、ドアの開閉方向へ調整可能なラッチ受けケースから成り、前記ドアラッチの垂直係合面が当接する前記ラッチ受けケースのラッチ当たり部を、ドアの開方向に向かって段差状に形成したことを特徴とするドアラッチ用受け金具。
【請求項７】
請求項６に於いて、ケース状トロヨケの開口縁部には、複数個の係合部が形成され、一方、ラッチ受けケースの突片状耳部には、前記係合部とスライド係合する複数個の被係合部が形成されていることを特徴とするドアラッチ用受け金具。
【発明の詳細な説明】
【技術分野】
【０００１】
本発明は、ドアラッチ用受け金具に関する。
【背景技術】
【０００２】
特許文献１及び２には、「戸枠の縦框の窪み部に対して取り付けられるドアラッチ用受け金具に於いて、受け金具は、縦框に固着具を介して固定され、かつ、方形窓孔を有するストライクと、このストライクにカバーされた状態で前記窪み部に内装されるケース状トロヨケと、このトロヨケに内装される調整可能なラッチ受けケースから成り、前記ラッチ受けケースは、トロヨケの底壁内面とラッチ受けケースの底壁外面との間に設けられた円盤状駆動カム（特許文献１に記載の駆動カムは円形であるのに対して、特許文献２のそれは多角形である点が相違する。）の駆動力により、前記ラッチ受けケースを、ドアの開閉方向へ調整可能なドアラッチ用受け金具」が記載されている。
【０００３】
上記の各先行技術は、ドアラッチの垂直係合面が当たるラッチ受けケースのラッチ当たり部が普通一般の受け金具と同様に「垂直面」である。したがって、受け金具を縦框の窪み部に固定的にセットした場合に於いて、ドア側のドアラッチの垂直係合面と縦框側のラッチ受けケースのラッチ当たり部（垂直面）との間に若干の隙間が発生した時には、図示しないドライバーで円盤状駆動カムを所要量回転させ、ラッチ受けケースのラッチ当たり部（垂直面）がドアラッチの垂直係合面に面接触状態になるように調整する必要がある。その理由は、調整しないと、風圧によりドアのガタツキ問題が生じるからである。この点、特許文献１及び２に記載の発明は、ラッチ当たり部（垂直面）とドアラッチの垂直係合面との隙間を調整できる利点がある。
【０００４】
しかしながら、特許文献１及び２に記載の発明は、隙間が生じた場合には、必ず工具を用いて調整しなければならないという問題点がある。
【０００５】
そこで、受け金具が単純型（ストライクのみ、又はストライクとトロヨケのみ）であれ、複合型（ストライク、トロヨケ、ラッチ受けケース等の組み合わせタイプ）であれ、原則して「受け金具を一度縦框の窪み部に固定的にセットした場合、無調整でガタをなくする受け金具」の出現が要望されている。また、本発明に関して付随的事項であるが、複合型の受け金具に於いて、仮に調整する必要性が発生した場合に於いて、ラッチ受けケースを安定的に水平移動させること、錠箱内に磁性体の極性に対応して反発又は吸着するロック手段が内装されている場合に於いて、該ロック手段を備えた錠前にも適合することができることなど他の機能を加味した受け金具の出現が要望されている。
【特許文献１】実公平６−４９７８０号公報
【特許文献２】実開平７−１５８３２５号公報
【発明の開示】
【発明が解決しようとする課題】
【０００６】
本発明の主たる目的は、縦框の窪み部に対して受け金具を固定的にセットした場合、ドア側のラッチの位置に対応して係合可能な受け金具を提案することである。これにより、ラッチの垂直係合面が受け金具の原則的に係合し、ドアの開き方向のガタがなくなる。特に、受け金具がトロヨケ内にドアの開閉方向へ調整可能なラッチ受けケースを備えている場合であっても、駆動カムを工具で調整しなくても良い場合が多く成る（無調整で済む場合が多い）受け金具を提案することである。また、本発明の従たる目的は、可動のラッチ受けケースを備えている複合型の受け金具に於いて、調整する際に、ラッチ受けケースを安定的に保持した状態でスライドさせることができることである。
【課題を解決するための手段】
【０００７】
本発明のドアラッチ用受け金具は、戸枠の縦框１の窪み部２に対して取り付けられるドアラッチ用受け金具Ｘに於いて、ドアラッチ３の垂直係合面６が当接する受け金具のラッチ当たり部７を、ドア４の開方向Ａに向かって段差状に形成したことを特徴とする。
【０００８】
また、本発明のドアラッチ用受け金具は、戸枠の縦框の窪み部に対して取り付けられるドアラッチ用受け金具に於いて、受け金具は、縦框に固着具を介して固定され、かつ、方形窓孔を有するストライクと、このストライクにカバーされた状態で縦框の窪み部に内装されるケース状トロヨケとから成り、前記ドアラッチの垂直係合面が当接する前記トロヨケのラッチ当たり部を、ドアの開方向に向かって段差状に形成したことを特徴とする。
【０００９】
さらに、本発明のドアラッチ用受け金具は、戸枠の縦框の窪み部に対して取り付けられるドアラッチ用受け金具に於いて、受け金具は、縦框に固着具を介して固定され、かつ、方形窓孔を有するストライクと、このストライクにカバーされた状態で縦框の窪み部に内装されるケース状トロヨケと、このトロヨケに固定的に内装され、或いは固定的ではなくドアの開閉方向へ調整可能なラッチ受けケースから成り、前記ドアラッチの垂直係合面が当接する前記ラッチ受けケースのラッチ当たり部を、ドアの開方向に向かって段差状に形成したことを特徴とする。
【発明の効果】
【００１０】
（１）受け金具を縦框の窪み部に対して固定的にセットした場合、ドア側のラッチは、原則して、受け金具の段差状のラッチ当たり部に係合する。すなわち、ラッチの垂直係合面は、突出量が大きい場合には、窪み部の奥側に延設している垂直面に面接触し、一方、突出量が小さい場合には、窓孔側、或いは手前側の垂直面に面接触するから、無調整でガタをなくすることが可能となる。それ故に、特に、受け金具がトロヨケ内にドアの開閉方向へ調整可能なラッチ受けケースを備えている場合であっても、駆動カムを工具で調整しなくても良い場合が多く成る（無調整で済む場合が多い）。
【００１１】
（２）複合型の受け金具に於いて、例えばトロヨケの開口縁部には、複数個の係合部が形成され、一方、ラッチ受けケースの突片状耳部には、前記係合部とスライド係合する複数個の被係合部が形成されているから、トロヨケとラッチ受けケースとの間に設けられた駆動カムを利用して調整する際に、ラッチ受けケースを安定的に保持した状態でスライドさせることができる。
【発明を実施するための最良の形態】
【００１２】
まず、図１乃至図３に示す本発明を実施するための最良の形態（これを「第１実施例」とする）により説明する。なお、本発明の各実施例に於いて、固着具に関しては図示及びその説明を割愛する。また、各部材の端面切欠部、開口、窓部、耳部、取り付け部等は、各部材をそれぞれ合理的に組み合わせることから、当然、切欠部の形成位置、寸法、大きさ等を考慮して適宜に設計される。したがって、端面切欠部、開口等の細部的事項の説明も割愛する。さらに、第２実施例以降の説明に当たって、第１実施例、第２実施例等と同一部分には、順次同一の符号を付して重複する説明を省略する。
【００１３】
（１）第１実施例
図１は、戸枠の縦框１の窪み部２に対して取り付けられるドアラッチ３用受け金具Ｘの外観斜視図を示す。図２はドアを開いた場合に於いて、受け金具Ｘの正面視である。図３は平面から見た一部概略断面の説明図であり、この図３には、ドア４、該ドアの自由端部４ａに内装された錠箱５、閉戸時に該錠箱５から突出し、その垂直係合面６がラッチ当たり部７に当たるドアラッチ３が図示されている。
【００１４】
図３の矢印Ａの開扉方向にドア４が開くと、ラッチ３は、その垂直係合面６が受け金具Ｘの前記ラッチ当たり部７の垂直面に押され、回転しながら後退動する。
【００１５】
この受け金具Ｘは、図１、図２で示すように、縦框１に上下の取付け部１２．１２及び図示しない固着具を介して固定され、かつ、窪み部２に連通する方形窓孔８を有する板状のストライクである。
【００１６】
それ故に、図３で示すように、ドアラッチ３の垂直係合面６が当接するラッチ当たり部７は、ストライクＸ自体に設けられている。しかして、前記ラッチ当たり部７は、方形窓孔８を形成するドア開方側の縁部を窪み部２内へと段差状に折り曲げることにより形成されている。この段差状のラッチ当たり部７は、ドアの室内側又は室外側へ開閉するドア４を基準にすると、ドア４の開方向Ａに向かって段差状に形成され、例えば窪み部２の奥側に延設している第１垂直面７ａと、窓孔８側、或いは手前側の第２垂直面７ｂとを有する。ドアラッチ３の突出量が大きい場合には、図３で示すように第１垂直面７ａにドアラッチ３の垂直係合面６が面接触状態に係合し、一方、突出量が小さい場合には、前記垂直係合面６は第２垂直面７ｂに面接触状態に係合する。
【００１７】
なお、前記段差は一つであるが、複数（例えば２個、３個など）でも良い。また、ラッチ当たり部７は、折り曲形成の他、例えば溶着、固着手段等によりストライクＸ自体に固定しても良い。要は、ラッチ当たり部７は、図３で示すように、方形窓孔８の内側に横断面段差状に延設されていれば良い。
【００１８】
ところで、第１実施例の受け金具Ｘは、錠箱５内に磁性体の極性に対応して反発又は吸着するロック手段が内装されている場合に於いて、該ロック手段を備えた錠前にも適合することができるように、取付け部１２．１２の一方の内壁面に磁性体１３が固定されている。
（２）第２実施例
図４乃至図６は、本発明の第２実施例を示す受け金具Ｘ２である。この受け金具Ｘ２は、縦框１に固着具を介して固定され、かつ、方形窓孔８を有するストライク９と、このストライク９にカバーされた状態で縦框１の窪み部２に内装されるケース状トロヨケ１０とから成り、ドアラッチ３の垂直係合面６が当接する前記トロヨケ１０のラッチ当たり部７を、ドアの開方向Ａに向かって段差状に形成している。
【００１９】
したがって、第２実施例の受け金具Ｘ２は、ラッチ当たり部７がストライク９ではなく、トロヨケ１０のケース部１０ａを形成するドアの開方向側の側壁１１に形成されている点が、第１実施例と異なる。なお、ケース部１０ａの開口縁部の左右は、直交方向に折り曲げ形成され、ストライク９の内壁面に当接する耳部１０ｂ．１０ｂとなっている。
【００２０】
（３）第３実施例
図７乃至図９は、本発明の第３実施例を示す受け金具Ｘ３である。なお、第１実施例及び第２実施例と同一の部分には、便宜上同一の符号を付す。
【００２１】
この受け金具Ｘ３は、縦框１に固着具を介して固定され、かつ、方形窓孔８を有するストライク９と、このストライク９にカバーされた状態で縦框１の窪み部２に内装されるケース状トロヨケ１０と、このトロヨケに固定的に内装されるラッチ受けケース１５から成り、ドアラッチ３の垂直係合面６が当接する前記ラッチ受けケース１５のラッチ当たり部７を、ドアの開方向Ａに向かって段差状に形成している。
【００２２】
したがって、ラッチ当たり部７がストライク９（第１実施例）或いはトロヨケ１０（第２実施例）ではなく、ラッチ受けケース１５のケース部１５ａの一側壁を形成するドアの開方向側の側壁１１Ａに形成されている点が、第１実施例或いは第２実施例と異なる。
【００２３】
なお、前記ケース部１５ａの開口縁部の一端部は、段差状側壁１１Ａに対して直交方向に折り曲げ形成され、トロヨケ１０の内壁面の縁部に当接する耳状当接部１５ｂとなっている。
【００２４】
（４）第４実施例
図１０乃至図１２は、本発明の第４実施例を示す受け金具Ｘ４である。なお、第１実施例〜第３実施例と同一の部分には、便宜上同一の符号を付す。
【００２５】
この受け金具Ｘ４は、縦框１に固着具を介して固定され、かつ、方形窓孔８を有するストライク９と、このストライクにカバーされた状態で縦框１の窪み部２に内装されるケース状トロヨケ１０と、このトロヨケに内装され、かつ、ドアの開方向Ａ又は閉方向に向かって調整可能なラッチ受けケース１５から成り、ドアラッチ３の垂直係合面６が当接する前記ラッチ受けケース１５のラッチ当たり部７を、ドアの開方向Ａに向かって段差状に形成している。
【００２６】
この受け金具Ｘ４は、特許文献１又は特許文献２と基本的構成が同一である。したがって、図１２で示すように、トロヨケ１０の底壁内面とラッチ受けケース１５の底壁外面との間にサンドイッチ状に介在する円盤状駆動カム１６の駆動力により、ラッチ受けケース１５はドア４の開閉方向へ調整可能である。この調整は、特許文献１．２の発明と同様に図示しないドライバーの先端部をラッチ受けケース１５の底壁嵌合孔に嵌合する駆動カム１６の小突起部の係合溝１７に差込み、ドライバーを操作することにより行われる。
【００２７】
しかして、本実施例では、図１０で示すように、トロヨケ１０の一方の開口縁部に、係合部（例えば突片）１８が上下方向に所要間隔離間して複数個（例えば２個）形成され、一方、ラッチ受けケース１５の左右の突片状耳部１５ｂ．１５ｂの一方には、前記係合部１８にそれぞれスライド係合する複数個の被係合部（例えば弧状部分、コ字状部分）１９が形成されている。
【００２８】
また、本実施例では、ストライク９の方形窓孔８を形成する縁部に切欠状の保持部２０が上下方向に所要間隔離間して複数個（例えば２個）形成され、これらの保持部２０．２０に前述した複数個の被係合部１９．１９がそれぞれ係合する。したがって、ラッチ受けケース１５は、ストライク９又は／及びトロヨケ１０に保持され、上下方向にガタガタしないという効果も得ることができる。
【実施例】
【００２９】
発明の実施の形態で示した第１実施例に於いて、磁性体１３を取付け部１２の内壁面に設けても良い旨を説明したが、第２実施例〜第４実施例も同様である。
【産業上の利用可能性】
【００３０】
本発明は、主に建具や錠前の業界で利用される。
【図面の簡単な説明】
【００３１】
図１乃至図３は本発明の最良の実施例（第１実施例）を示す各説明図。図４乃至図６は本発明の第２実施例を示す各説明図。図７乃至図９は本発明の第３実施例を示す各説明図。図１０乃至図１２は本発明の第４実施例を示す各説明図。
【図１】第１実施例の斜視からの概略説明図（ストライク自体に適用）。
【図２】正面視からの説明図。
【図３】平面から見た一部概略断面の説明図。
【図４】第２実施例の斜視からの概略説明図（トロヨケに適用）。
【図５】正面視からの説明図。
【図６】平面から見た一部概略断面の説明図。
【図７】第３実施例の斜視からの概略説明図（固定ラッチ受けケースに適用）。
【図８】正面視からの説明図。
【図９】平面から見た一部概略断面の説明図。
【図１０】第４実施例の斜視からの概略説明図（可動ラッチ受けケースに適用）。
【図１１】正面視からの説明図。
【図１２】平面から見た一部概略断面の説明図。
【符号の説明】
【００３２】
Ｘ〜Ｘ４…受け金具、1…縦框、２…窪み部、３…ドアラッチ、４…ドア、５…錠箱、６…垂直係合面、７…ラッチ当たり部、８…窓孔、９…ストライク、１０…トロヨケ、１１．１１Ａ…側壁、１２…取付け部、１３…磁性体、１５…ラッチ受けケース、１０ａ、１５ａ…ケース部、１６…駆動カム、１７…突起部の係合溝、１８…係合部、１９…被係合部、２０…保持部。
【図１】
2005344342.tif 000003
【図２】
2005344342.tif 000004
【図３】
2005344342.tif 000005
【図４】
2005344342.tif 000006
【図５】
2005344342.tif 000007
【図６】
2005344342.tif 000008
【図７】
2005344342.tif 000009
【図８】
2005344342.tif 000010
【図９】
2005344342.tif 000011
【図１０】
2005344342.tif 000012
【図１１】
2005344342.tif 000013
【図１２】
2005344342.tif 000014